(57)【特許請求の範囲】
【請求項１】
出力解像度により定まる画素グリッド上にスーパーセルを設定し、設定したスーパーセルを網点セルに分割し、分割した網点セル内の各画素に対応して閾値を割り当てて網点閾値を設定する網点閾値設定方法において、
前記スーパーセルを網点セルに分割するとき、ハイライト点中心の網点セルに分割するとともに、シャドウ点中心の網点セルに分割し、その際、前記シャドウ点中心の網点セルの頂点が前記ハイライト点中心の網点セルの中心と一致するようにし、
前記ハイライト点中心の網点セル内の各画素に割り当てられる閾値と、前記シャドウ点中心の網点セル内の各画素に割り当てられる閾値を交互に定め、
前記閾値の割り当ては、
前記閾値が０，１，…，Ｎの値をとるとき、まず、前記ハイライト点中心の網点セル中で黒化順序の最も早い画素に対応する閾値に値０を割り当てるとともに、前記シャドウ点中心の網点セル中で黒化順序の最も遅い画素に対応する閾値に値Ｎを割り当て、
次に、前記ハイライト点中心の網点セル中で黒化順序の次に早い画素に対応する閾値に値１を割り当てるとともに、前記シャドウ点中心の網点セル中で黒化順序の次に遅い画素に対応する閾値に値（Ｎ−１）を割り当て、
以下、順次、｛２，（Ｎ−２）｝，｛３，（Ｎ−３）｝，…，と各網点セルに割り当てていき、
値（Ｎ／２）近傍の値を割り当てるとき、前記ハイライト点中心の網点セル中の画素位置と前記シャドウ点中心の網点セル中の画素位置とが一致した場合には、先に割り当てられた方の網点セルを優先して前記値（Ｎ／２）近傍の値を割り当てることを特徴とする網点閾値設定方法。
【請求項２】
原画像データをスーパーセル閾値テンプレートと比較して２値データを得る２値データ作成装置において、
前記スーパーセル閾値テンプレートが、
出力解像度により定まる画素グリッド上にスーパーセルを設定し、設定したスーパーセルを網点セルに分割し、分割した網点セル内の各画素に対応して閾値を割り当てて網点閾値を設定する場合において、
前記スーパーセルを網点セルに分割するとき、ハイライト点中心の網点セルに分割するとともに、シャドウ点中心の網点セルに分割し、その際、前記シャドウ点中心の網点セルの頂点が前記ハイライト点中心の網点セルの中心と一致するようにし、
前記ハイライト点中心の網点セル内の各画素に割り当てられる閾値と、前記シャドウ点中心の網点セル内の各画素に割り当てられる閾値を交互に定め、
前記閾値の割り当ては、
前記閾値が０，１，…，Ｎの値をとるとき、まず、前記ハイライト点中心の網点セル中で黒化順序の最も早い画素に対応する閾値に値０を割り当てるとともに、前記シャドウ点中心の網点セル中で黒化順序の最も遅い画素に対応する閾値に値Ｎを割り当て、
次に、前記ハイライト点中心の網点セル中で黒化順序の次に早い画素に対応する閾値に値１を割り当てるとともに、前記シャドウ点中心の網点セル中で黒化順序の次に遅い画素に対応する閾値に値（Ｎ−１）を割り当て、
以下、順次、｛２，（Ｎ−２）｝，｛３，（Ｎ−３）｝，…，と各網点セルに割り当てていき、
値（Ｎ／２）近傍の値を割り当てるとき、前記ハイライト点中心の網点セル中の画素位置と前記シャドウ点中心の網点セル中の画素位置とが一致した場合には、先に割り当てられた方の網点セルを優先して前記値（Ｎ／２）近傍の値を割り当てることを特徴とする２値データ作成装置。
【発明の詳細な説明】
【０００１】
【産業上の利用分野】
この発明は、網点画像フイルムを作成するための画像記録装置等に適用して好適な網点閾値設定方法および２値データ作成装置に関する。
【０００２】
【従来の技術】
近時、出力解像度により定まる画素グリッド上にスーパーセルを設定し、設定したスーパーセルを網点セルに分割し、分割した網点セル内の各画素に対応して閾値を割り当てて網点閾値を設定する網点生成技術が知られている。
【０００３】
このようなスーパーセルに関連して網点を生成する技術の参考文献としては、例えば、「書名：ポストスクリプト・スクリーニング、著者：ピーター  フィンク、発行元：株式会社エムディエヌコーポレーション、発行日：１９９４年８月１１日、初版第１刷」を挙げることができる。
【０００４】
複数の網点セルから構成されるスーパーセルを考えることで、スクリーン線数と網角度をより細かく変化させることが可能になり、指定されたスクリーン線数と網角度に、より近い値を選択することができるという有利さがある。
【０００５】
なお、画素グリッドとは、黒化単位である画素の集合体をいう。したがって、画素グリッドは、画素が縦横に整然と並んでいる状態をイメージすればよい。
【０００６】
また、網点セルとは、図１２Ａに示すように、例えば、画素グリッド上の１０個（実際には、画像の階調に対応して、例えば、２５６個等からなる。）の画素Ｐから構成されるものであり、図１２Ａに一点鎖線で示すように正方形で表される。なお、網点セルＨは、通常、正方形で表される。
【０００７】
図１２Ａは、網角度が（１／３）［有理正接ＲＴ｛ＲＴ＝（１／３）｝］の網点セルＨを示している。
【０００８】
図１３Ａは、網角度が０°［有理正接ＲＴ（ＲＴ＝０）］の網点セルＨを示している。
【０００９】
網点セルＨの各画素に割り当てられる閾値（図示していない。）は、後に詳しく説明するように、網点セルＨの中央から外方に向かって徐々に大きな値が設定されるようになっているので、網点セルＨの中央の画素Ｐの黒化順番が第１番になる。図１３Ａにおいては、黒化順番が第１番の画素Ｐのみが黒化されている様子をハッチングで表している。
【００１０】
以下の説明に当たって、中央から黒化されていく網点セルＨは、図１３Ａに対応して図１３Ｂに示すように、正方形の中にハッチングを施した丸を描いて表すこととする。この場合、図１２Ａに示した網点セルＨは、図１２Ｂに示すように、同じ網角度分だけ傾けて表示する。
【００１１】
図１４は、９個の網点セルＨ１〜Ｈ９で構成されるスーパーセルＳの模式的な構成を示している。スーパーセルＳの４箇所の頂点２〜５は画素Ｐの頂点に一致している必要があるが、網点セルＨ１〜Ｈ９のそれぞれが共有する頂点６、７、８等は画素Ｐの頂点に一致している必要はない。
【００１２】
この図１４例のスーパーセルＳの場合、直交するｘｙ軸上においてｘ軸上の画素数をｍ、ｙ軸上の画素数をｎとした場合、網角度に対応する有理正接ＲＴは、ＲＴ＝（ｎ／ｍ）になる。
【００１３】
【発明が解決しようとする課題】
ところで、網点セルＨ１〜Ｈ９のそれぞれには、例えば、その中心近傍から外側に向かって螺旋状に画素に対応して閾値が、例えば、０，１，２，…，２５５と設定される。
【００１４】
ここで、画素に対応して閾値が設定された網点セルを、便宜上、網点セル閾値テンプレートという。したがって、画素に対応して閾値が設定されたスーパーセルをスーパーセル閾値テンプレートという。
【００１５】
簡単のために、今、このスーパーセル閾値テンプレートが適用される原画像の画素の大きさが網点セルＨの大きさと同一であると考える。いわゆる濃度パターン法による黒化処理を考えるものとする。
【００１６】
この原画像の画像データ値が、例えば、全て、網パーセントが１００％の値である２５５に近い値であった場合、各網点セルＨ１〜Ｈ９はほとんど黒化された状態になる。
【００１７】
この場合、上述のように閾値が配列された各網点セルＨ１〜Ｈ９は、その中心近傍から黒化され、中心近傍にハイライト点（上例の場合には、値０）が配されることになるので、ハイライト点中心の網点セル（または、一般にハイライト側では網点セルの黒化点が小さいことから小点中心の網点セル）ということとする。図１２Ｂ、図１３Ｂに示した網点セルＨもハイライト点中心の網点セルである。
【００１８】
しかしながら、このようなハイライト点中心の網点セルＨ１〜Ｈ９から構成されるスーパーセルＳでは、各網点セルＨ１〜Ｈ９の頂点２〜８等付近において、周期的に黒化されない画素数、すなわち白抜け画素数が変動する。具体的かつ極端な例としては、頂点６が黒化され、頂点７が白抜けとなり、かつ頂点８が黒化されるという状態になる。
【００１９】
スーパーセルＳ内では、各網点セルＨ１〜Ｈ９の黒化画素数はほぼ均一に分布するが、白抜け画素数は制御されず、各網点セルＨ１〜Ｈ９で周期的に変動する。これが出力画像上で格子状あるいは縞状のモアレとなって視認されるという問題があった。これは、網点の周波数と出力解像度のモアレと考えることができる。
【００２０】
図１５は、高網％（シャドウ部）出力時に出力画像９上に発生したモアレ縞の具体的なシミュレーション画像の例を示している。矢印１０の方向にモアレ縞が顕著に現れていることが分かる。なお、図１５中、符号１１を付けた四角形部分が白抜け部分であり、その他の部分は黒化されている部分である。
【００２１】
この発明はこのような課題を考慮してなされたものであり、出力画像上にモアレ縞の発生しない網点閾値設定方法および２値データ作成装置を提供することを目的とする。
【００２２】
【課題を解決するための手段】
第１発明は、出力解像度により定まる画素グリッド上にスーパーセルを設定し、設定したスーパーセルを網点セルに分割し、分割した網点セル内の各画素に対応して閾値を割り当てて網点閾値を設定する網点閾値設定方法において、
前記スーパーセルを網点セルに分割するとき、ハイライト点中心の網点セルに分割するとともに、シャドウ点中心の網点セルに分割し、その際、前記シャドウ点中心の網点セルの頂点が前記ハイライト点中心の網点セルの中心と一致するようにし、
前記ハイライト点中心の網点セル内の各画素に割り当てられる閾値と、前記シャドウ点中心の網点セル内の各画素に割り当てられる閾値を交互に定め、
前記閾値の割り当ては、前記閾値が０，１，…，Ｎの値をとるとき、
まず、前記ハイライト点中心の網点セル中で黒化順序の最も早い画素に対応する閾値に値０を割り当てるとともに、前記シャドウ点中心の網点セル中で黒化順序の最も遅い画素に対応する閾値に値Ｎを割り当て、
次に、前記ハイライト点中心の網点セル中で黒化順序の次に早い画素に対応する閾値に値１を割り当てるとともに、前記シャドウ点中心の網点セル中で黒化順序の次に遅い画素に対応する閾値に値（Ｎ−１）を割り当て、
以下、順次、｛２，（Ｎ−２）｝，｛３，（Ｎ−３）｝，…，と各網点セルに割り当てていき、
値（Ｎ／２）近傍の値を割り当てるとき、前記ハイライト点中心の網点セル中の画素位置と前記シャドウ点中心の網点セル中の画素位置とが一致した場合には、先に割り当てられた方の網点セルを優先して前記値（Ｎ／２）近傍の値を割り当てることを特徴とする。
【００２４】
第２発明は、原画像データをスーパーセル閾値テンプレートと比較して２値データを得る２値データ作成装置であって、前記スーパーセル閾値テンプレートが第１発明のように作成されていることを特徴とする。
【００２６】
【作用】
この発明によれば、スーパーセルを網点セルに分割する際、ハイライト点中心の網点セルに分割するとともに、シャドウ点中心の網点セルに分割する。そして、ハイライト点中心の網点セル内の各画素に割り当てられる閾値と、シャドウ点中心の網点セル内の各画素に割り当てられる閾値を交互に定めているので、原稿画像の濃度が高いとき、言い換えれば、網パーセント濃度が、例えば、９０％程度以上のときを考えた場合、ハイライト点中心の網点セル内の黒化画素数とシャドウ点中心の網点セル内の白抜け画素数とがそれぞれスーパーセル内の各網点セルにおいて等しくなり、モアレ縞が発生することがなくなる。
【００２７】
【実施例】
以下、この発明の一実施例について、図面を参照して説明する。なお、以下に参照する図面において、上記図１２〜図１５に示したものと対応するものには同一の符号を付けてその詳細な説明は省略するが、必要に応じてこれらの図も参照して説明する。
【００２８】
図１および図２は、この発明の一実施例が適用された画像製版システム３１、および画像製版システム３１を構成する２値データ作成装置４１の概略的な構成を示している。
【００２９】
図１において、写真等の原稿画像３２が画像入力部３３に供給されて、その画像入力部３３を構成するイメージスキャナにより、例えば、８ビットのデジタル画像データ（以下、単に画像データという。）ＤＡとされる。この画像データＤＡに対して画像処理部３４により色補正処理、シャープネス処理等の各種画像処理が行われて画像データＤＢが作成される。
【００３０】
画像データＤＢは、画像記録部３５を構成する２値データ作成装置４１に供給される。
【００３１】
図２において、２値データ作成装置４１に供給された画像データＧは入力ポート４２を通じて比較部４３の比較入力に供給される。また、画像データＧからスーパーセル閾値テンプレート４５上のｘ軸アドレスとｙ軸アドレス（ｘ軸とｙ軸については図１４参照）を表すアドレスＡＤ（ｘ，ｙ）がアドレス計算部４４によって計算される。スーパーセル閾値テンプレート４５は、その指定されたアドレスＡＤに対応してメモリセルに格納されている閾値（この場合、８ビットの閾値データ）Ａを読み出して比較部４３の基準入力に供給する。実際上、スーパーセル閾値テンプレート４５は、例えば、ＲＯＭであり、読み出し主体はＣＰＵである。
【００３２】
比較部４３では、次の（１）式および（２）式で示される２値データ化処理を行う。
【００３３】
Ｇ≧Ａ  →  １（黒化）                      …（１）
Ｇ＜Ａ  →  ０（白抜け：非黒化）            …（２）
比較部４３で作成された２値データＢは、出力ポート４６を通じて露光部３６（図１参照）に供給される。
【００３４】
露光部３６においては、レーザ光によりフイルム上に網点画像が潜像により露光記録されて、網点画像フイルムＦが作成され出力される。
【００３５】
なお、出力された網点画像フイルムＦは現像された後、刷版、ＰＳ版が作成され、このＰＳ版を印刷機に装着してシート上に画像を転写することで、所望のハードコピーが得られることになる。
【００３６】
次に、スーパーセル閾値テンプレート４５に設定される閾値の作成方法について図３のフローチャートを参照しながら詳しく説明する。
【００３７】
まず、網点画像フイルムＦの出力条件に対応する計算上の入力パラメータ（ｍ，ｎ，ｋ，Ｌ）を設定する（ステップＳ１）。
【００３８】
パラメータ（ｍ，ｎ，ｋ，Ｌ）の決定順序に特に制限はないが、例えば、まず、網角度（有理正接ＲＴ）に係るパラメータ（ｍ，ｎ）を決める。この場合、所望の網角度に対して実際に設定可能な網角度は、図１４に示したｙ軸上の画素数ｎをｘ軸上の画素数ｍで割った値｛（ｎ／ｍ）＝有理正接ＲＴ｝とされる。この有理正接ＲＴ（＝ｎ／ｍ）は、スーパーセルＳの１辺の長さＬに関連して、所望の網角度に最も近い値になるように設定される。有理正接ＲＴは、角度をθとするとき、θ＝ａｒｃｔａｎ（ｎ／ｍ）で表される。印刷で用いられる角度θ＝１５°を実現するためには、有理正接ＲＴ＝ｎ／ｍとして、ｎ／ｍ＝３／１１，４／１５，７／２６，１１／４１，１５／５６，……を使用すればよい。
【００３９】
次に、所望の線数（例えば、後に説明する図４中、網点セルＨの１辺の長さＱ）を得るためのスーパーセルＳの１辺の長さＬと１個のスーパーセルＳを構成する網点セルＨの数ｋの組合せ（Ｌ，ｋ）を出力解像度を考慮して決める（これらは同時に決まる。）。
【００４０】
すなわち、スーパーセルＳの一辺の長さＬを決めると、スーパーセルＳの実際の長さが分かり、パラメータである数ｋを決めることで、スーパーセルＳの中に何個の網点セルＨｈが入るか決定され、実質線数、すなわち、網点セルＨの１辺の長さＱが決定される。この実施例において、網角度に係るパラメータ（ｍ，ｎ）＝（３，１）、１個のスーパーセルＳ中の網点セルＨの数ｋは、ｋ＝１０としている。
【００４１】
次に、スーパーセルＳを、次の（３）式、（４）式で定義される直線群により、ハイライト点中心の網点セルＨｈに分割する（ステップＳ２）。
【００４２】
ｎｘ−ｍｙ＋（ｐ−ｎ）Ｌ＝０  ｛ｐ＝−（ｎ−１）〜（ｎ−１）｝…（３）
ｍｘ−ｎｙ−ｑＬ＝０          ｛ｑ＝０〜（ｍ＋ｎ−１）｝      …（４）
図４は、１辺の長さがＬのスーパーセルＳを、（３）式、（４）式に基づく直線により１辺の長さがＱのハイライト点中心の網点セルＨｈに分割したものを示している。ハイライト点中心の網点セルＨｈ１〜Ｈｈ１０は、それぞれ、中央にハッチングした丸で表している。これは、上述したように、閾値の小から大への変化に対応して黒化が中央から始まることを示している。
【００４３】
また、ステップＳ２においては、同じスーパーセルＳをシャドウ点中心の網点セルＨｓに分割する。
【００４４】
図５は、スーパーセルＳを１辺の長さがＱのシャドウ点中心の網点セルＨｓに分割したものを示している。シャドウ点中心の網点セルＨｓ１〜Ｈｓ１０は、それぞれ、中央の丸以外の部分をハッチングで表している。これは、後に詳しく説明するように、閾値の小から大への変化に対応して黒化が外側（各網点セルＨｓ１〜Ｈｓ１０の外側）から始まることを示している。なお、シャドウ点中心の網点セルＨｓ１〜Ｈｓ１０を区画分けする直線群は、（３）式において、ｙ＝ｙ＋（１／６）Ｌとした式、（４）式において、ｙ＝ｙ＋（１／２）Ｌとした式で表される。
【００４５】
これにより、各シャドウ点中心の網点セルＨｓ１〜Ｈｓ１０の位置が、各ハイライト点中心の網点セルＨｈ１〜Ｈｈ１０の位置を基準として、それぞれ（３）式の直線の方向に網点セルの長さＱの半分Ｑ／２だけずらされ、かつそのずらされた位置からさらに（４）式の直線の方向に網点セルの長さＱの半分Ｑ／２だけずらされた位置に移ることになる。
【００４６】
図６では、分割されたスーパーセルＳ上にハイライト点中心の網点セルＨｈを実線で描き、これに重ねてシャドウ点中心の網点セルＨｓを点線で描いている。
【００４７】
図６から分かるように、結果として、シャドウ点中心の網点セルＨｓの頂点が、ハイライト点中心の網点セルＨｈの中心に一致する。また、模式的に描いた画素Ｐの位置から分かるように、各画素Ｐは、ハイライト点中心の網点セルＨｈとシャドウ点中心の網点セルＨｓの各１個（合計２個）の網点セルに属する。図６中の画素Ｐは、ハイライト点中心の網点セルＨｈ６とシャドウ点中心の網点セルＨｓ６とに属する。
【００４８】
そこで、次に、スーパーセルＳ内の各画素Ｐの座標を（ｘ，ｙ）として、各画素Ｐがどのハイライト点中心の網点セルＨｈ１〜Ｈｈ１０に属するか、およびどのシャドウ点中心の網点セルＨｓ１〜Ｈｓ１０に属するかを決定する（ステップＳ３）。
【００４９】
次に、各網点セルＨｈ、Ｈｓ毎に、各画素Ｐの黒化順序を決定する（ステップＳ４）。黒化順序は、各網点セルＨｈ、Ｈｓに対して、共通のスポット関数ｆ（ｕ，ｖ）で規定される。スポット関数ｆ（ｕ，ｖ）は、黒化された網点の形状を規定する関数、すなわち、１個の網点セルＨｈ、Ｈｓ内の画素の黒化順番を表す関数である。この実施例において、スポット関数ｆ（ｕ，ｖ）は、図７に示すｕｖ座標系において、例えば、（５）式に示すように、各網点セルＨｈ，Ｈｓの中心座標（０．５，０．５）から黒化部分を円形に太らしていく関数とする。
【００５０】
ｆ（ｕ，ｖ）＝（ｕ−０．５）2 ＋（ｖ−０．５）2           …（５）
なお、スポット関数ｆ（ｕ，ｖ）の各値は、実際に、（５）式に基づいて計算してもよく、２次元のルックアップテーブルとして準備しておいてもよい。
【００５１】
次に、スーパーセル閾値テンプレート４５（図２参照）の閾値Ａ（図２参照）を決定する（ステップＳ５）。スーパーセル閾値テンプレート４５は、スーパーセルＳと同一の大きさになっており、その意味で、スーパーセル閾値テンプレート４５という。スーパーセル閾値テンプレート４５は、各画素位置に対して１：１に閾値Ａが定められたテーブルである。
【００５２】
図８は、閾値決定のための詳細なフローチャートである。
【００５３】
この実施例で、閾値Ａは、値０，１，…，Ｎをとるものとする。実際上は、例えば、０，１，…，２５５の値をとる。
【００５４】
そこで、まず、ハイライト点中心の網点セルＨｈ用の閾値Ａを閾値ＨＬで表し（Ａ＝ＨＬ）、シャドウ点中心の網点セルＨｓの閾値Ａを閾値ＳＤで表して（Ａ＝ＳＤ）、それらの初期値として、閾値ＨＬ＝０、閾値ＳＤ＝Ｎを設定する（ステップＳ１１）。また、網点セルＨｈを構成する画素を画素Ｐｈ、網点セルＨｓを構成する画素を画素Ｐｓで表す。そして、画素Ｐｈに閾値ＨＬを設定する場合には、画素Ｐｈ＝ＨＬ、または、より分かり易くは、画素Ｐｈの位置が座標（ｘ，ｙ）で決まることを考慮して、画素Ｐｈ（ｘ，ｙ）＝ＨＬと表す。
【００５５】
次に、スーパーセル閾値テンプレート４５中の未処理画素（閾値の決まっていない画素）で網点セルＨｈ中、黒化順番の最も早い画素Ｐｈ（ｘ，ｙ）と、スーパーセル閾値テンプレート４５中の未処理画素で網点セルＨｓ中、黒化順番の最も遅い画素Ｐｓ（ｘ，ｙ）を選択する（ステップＳ１２）。
【００５６】
次いで、選択した画素Ｐｈ（ｘ，ｙ）と画素Ｐｓ（ｘ，ｙ）とが孤立画素でないことを念のために確認する（ステップＳ１３）。孤立画素でないかどうかは、図９に示すように、選択された画素Ｐを画素Ｐ（ｘ，ｙ）とするとき、その上下左右の４個の画素Ｐ（ｘ，ｙ＋１），Ｐ（ｘ，ｙ−１），Ｐ（ｘ−１，ｙ），Ｐ（ｘ＋１，ｙ）のうちのいずれか１個の画素が、閾値Ａの決定している画素（閾値Ａの決定している画素を処理画素という。）であれば孤立画素でないと判断できる。
【００５７】
ステップＳ１３の判断が成立したとき、選択した画素Ｐｈ（ｘ，ｙ）と画素Ｐｓ（ｘ，ｙ）の閾値Ａを、それぞれ画素Ｐｈ（ｘ，ｙ）＝ＨＬ、画素Ｐｓ（ｘ，ｙ）＝ＳＤに設定する（ステップＳ１４）。
【００５８】
次に、閾値Ａの決定していない未処理画素があるかどうかを判断する（ステップＳ１５）。
【００５９】
未処理画素があった場合には、閾値ＨＬ、ＳＤの値をそれぞれ閾値ＨＬ＝ＨＬ＋１（この場合、ＨＬ＝１）、閾値ＳＤ＝ＳＤ−１（この場合、ＳＤ＝Ｎ−１）に変更する（ステップＳ１６）。
【００６０】
そして、再び、ステップＳ２の処理からステップＳ６の処理を繰り返して行い、ステップＳ５の判定が成立しなくなるまで、言い換えれば、全ての画素Ｐｈ（ｘ，ｙ），Ｐｓ（ｘ，ｙ）の閾値Ａを決定する。
【００６１】
図１０は、ステップＳ５の閾値決定処理により、ハイライト点中心の網点セルＨｈの閾値ＨＬとして、ＨＬ＝０，１，２，３まで、シャドウ点中心の網点セルＨｓの閾値ＳＤとして、ＳＤ＝Ｎ，Ｎ−１，Ｎ−２，Ｎ−３までそれぞれ４点決まった状態のスーパーセル閾値テンプレート４５を模式的に表している。
【００６２】
図１０から分かるように、閾値ＨＬ，ＳＤはハイライト点中心の網点セルＨｈの中心から、ＨＬ＝０，１，２，３と決まっていくとともに、シャドウ点中心の網点セルＨｓの中心からＳＤ＝Ｎ，Ｎ−１，Ｎ−２，Ｎ−３と決まっていく。詳しく説明すると、０→Ｎ→１→Ｎ−１→……→３→Ｎ−３の順で、交互に閾値Ａが決まっていく。
【００６３】
このように交互に閾値Ａを決めていった場合において、閾値Ａ＝Ｎ／２近傍の値を割り当てるとき、ハイライト点中心の網点セルＨｈ中の画素位置Ｐｈ（ｘ，ｙ）とシャドウ点中心の網点セルＨｓ中の画素位置Ｐｓ（ｘ，ｙ）とが一致した場合には、先に割り当てられた方の網点セルの画素位置Ｐ（ｘ，ｙ）を優先して閾値Ａ＝Ｎ／２近傍の値を割り当てることとする。
【００６４】
このような手順によりスーパーセル閾値テンプレート４５の閾値Ａが全て決定される。閾値Ａが決定されたスーパーセル閾値テンプレート４５は、ＲＯＭ等の記憶デバイスに記憶されて、図２に示したような２値データ作成装置４１の使用に供される。
【００６５】
このように上述の実施例によれば、スーパーセルＳを網点セルＨに分割する際、ハイライト点中心の網点セルＨｈに分割するとともに、シャドウ点中心の網点セルＨｓに分割し、ハイライト点中心の網点セルＨｈ内の各画素Ｐｈに割り当てられる閾値ＨＬと、シャドウ点中心の網点セルＨｓ内の各画素Ｐｓに割り当てられる閾値ＳＤを交互に定めている。このため、モアレ縞の現れやすい原稿画像の濃度が高いとき、言い換えれば、網パーセントが、例えば、９０％程度以上のときを考えた場合、ハイライト点中心の網点セルＨｈ内の黒化画素数とシャドウ点中心の網点セルＨｓ内の白抜け画素数とが等しくなり、モアレ縞が発生することがなくなるという効果が達成される。
【００６６】
図１１は、図１５に対応して作成されたこの実施例が適用された、高網パーセント出力のときのシミュレーション画像９′である。図１１において、符号１１を付けた四角形部分が白抜け部分であり、その他の部分は黒化されている部分である。図１１からモアレ縞が発生していないことが理解される。
【００６７】
なお、この発明は上述の実施例に限らず、この発明の要旨を逸脱することなく種々の構成を採り得ることはもちろんである。
【００６８】
例えば、図４に示した傾き０°のスーパーセルに対しての適用以外に、図１４に示した傾いたスーパーセルＳに対しても適用できる。
【００６９】
【発明の効果】
以上説明したように、この発明によれば、スーパーセルを網点セルに分割する際、ハイライト点中心の網点セルに分割するとともに、シャドウ点中心の網点セルに分割し、ハイライト点中心の網点セル内の各画素に割り当てられる閾値と、シャドウ点中心の網点セル内の各画素に割り当てられる閾値を交互に定めている。このため、原稿画像の濃度が高いとき、言い換えれば、網パーセントが、例えば、９０％程度以上のときを考えた場合、ハイライト点中心の網点セル内の黒化画素数とシャドウ点中心の網点セル内の白抜け画素数とがそれぞれスーパーセル内の各網点セルにおいて等しくなり、モアレ縞が発生することがなくなるという効果が達成される。
【図面の簡単な説明】
【図１】この発明の一実施例が適用された画像製版システムの概略的な構成を示すブロック図である。
【図２】図１例の画像製版システムを構成する２値データ作成装置の概略的な構成を示すブロック図である。
【図３】スーパーセル閾値テンプレートの閾値決定のアルゴリズムを示すフローチャートである。
【図４】ハイライト点中心の網点セルに分割されたスーパーセルの構成を示す図である。
【図５】シャドウ点中心の網点セルに分割されたスーパーセルの構成を示す図である。
【図６】画素の存在位置の定義の説明に供される図である。
【図７】スポット関数の説明に供される図である。
【図８】閾値決定の詳細なアルゴリズムを示すフローチャートである。
【図９】閾値の決定されていない未処理画素の説明に供される図である。
【図１０】閾値が設定された閾値テンプレートの例を示す図である。
【図１１】高網パーセントのときの、モアレ縞が発生していない場合の説明に供される図である。
【図１２】図１２Ａは傾けられた網点セルと画素との関係の説明に供される図、図１２Ｂは傾けられた網点セルの説明に供される図である。
【図１３】図１３Ａは傾いていない網点セルと画素との関係の説明に供される図、図１３Ｂは傾いていない網点セルの説明に供される図である。
【図１４】スーパーセルの構成の説明に供される図である。
【図１５】高網パーセントのときの、モアレ縞が発生している場合の説明に供される従来技術に係る図である。
【符号の説明】
４１…２値データ作成装置          ４５…スーパーセル閾値テンプレート
Ａ…閾値（閾値データ）            Ｂ…２値データ
Ｆ…網点画像フイルム              Ｇ…画像データ
Ｈ…網点セル
ＨＬ…ハイライト点中心の網点セル用の閾値
Ｈｈ…ハイライト点中心の網点セル  Ｈｓ…シャドウ点中心の網点セル
Ｐ…画素                          Ｓ…スーパーセル
ＳＤ…シャドウ点中心の網点セル用の閾値
【図１】
0003917200.tif 000002
【図２】
0003917200.tif 000003
【図３】
0003917200.tif 000004
【図４】
0003917200.tif 000005
【図５】
0003917200.tif 000006
【図６】
0003917200.tif 000007
【図７】
0003917200.tif 000008
【図８】
0003917200.tif 000009
【図９】
0003917200.tif 000010
【図１０】
0003917200.tif 000011
【図１１】
0003917200.tif 000012
【図１２】
0003917200.tif 000013
【図１３】
0003917200.tif 000014
【図１４】
0003917200.tif 000015
【図１５】
0003917200.tif 000016